Podtech/llm-jp-corpus-v4-ja_patent huggingface dataset:
(57)【要約】      （修正有）【課題】高性能、低価格、高信頼性であると共に、分岐パイプ相互の接触面にもロー付け加工のロー材を侵入しやすくし、同時に作業がし安く、断熱材などの巻作業も個々の分岐パイプ毎に行うことのできる高圧冷媒用の分岐管装置を提供する。【解決手段】複数本の分岐パイプを挿設する分岐アタッチメント本体は、分岐挿入部を高圧冷媒の設計圧力に耐えうる素管を大径管状部とすると共に、該大径管状部の一端部を絞り加工した本流挿入部を小径管状部とし、分岐パイプの各々の挿入部を大径管状部の内径に対応するよう成形加工すると共に分岐管パイプの挿入部の上部を外側に曲げ加工して作業空間を設けたものを集合体として大径管状部に挿入し、ロー付け加工してなる高圧冷媒用分岐管装置である。【選択図】図１
0003118154.tif 000002
【実用新案登録請求の範囲】
【請求項１】
複数本の分岐パイプを挿設する分岐アタッチメント本体は、分岐挿入部を高圧冷媒の設計圧力に耐えうる素管を大径管状部とすると共に、該大径管状部の一端部を絞り加工した本流挿入部を小径管状部とし、前記分岐パイプの各々の挿入部を大径管状部の内径に対応するよう成形加工すると共に分岐管パイプの挿入部の少なくとも一方の上部を外側に曲げ加工して作業空間を設けたものを集合体として前記大径管状部に挿入し、ロー付け加工してなる高圧冷媒用分岐管装置。
【考案の詳細な説明】
【技術分野】
【０００１】
本考案はエアコン等に使用する冷媒を分流させる分岐管装置の改良に関するものである。
【背景技術】
【０００２】
従来この種の冷媒を分流させる分岐管装置は、本流パイプから分岐パイプを分岐させるアタッチメントを使用したもの（実公平７―２６０４６号）となっているが、従来の冷媒、即ちフロンを冷媒として使用するときは、この分岐管装置を使用しても十分な耐圧性を有するものとして使用できる。
【０００３】
然しながら、フロンはオゾン層を破壊するものとして世界的にその使用が制限され、その代替としてオゾン層破壊係数がゼロの代替冷媒（Ｒ４１０Ａ，以下新冷媒という。）への移行が行われている。ところが、新冷媒の熱物性特性により冷媒配管への設計圧力がフロン冷媒の約1.6倍と高圧となり、従来の分岐管では使用に耐えることができず、勢い銅パイプの肉厚を厚くしたり鋳物加工などを検討しているが、コストアップとなり、何れも高価格となるなどの欠点がある。しかも分岐パイプが平行した状態で設けられているため分岐パイプ相互の接触面にはロー付け加工のロー材が侵入しにくく同時に作業がし難いばかりか、断熱材などの巻作業は個々の分岐パイプ毎に行うことができず不便である。
【考案の開示】
【考案が解決しようとする課題】
【０００４】
本考案はこれらの欠点を解消すべく研究されたもので、高性能、低価格、高信頼性であると共に、分岐パイプ相互の接触面にもロー付け加工のロー材を侵入しやすくしにく同時に作業がし安く、断熱材などの巻作業も個々の分岐パイプ毎に行うことのできる高圧冷媒用の分岐管装置を提供しようとするものである。
【課題を解決するための手段】
【０００５】
本考案は、複数本の分岐パイプを挿設する分岐アタッチメント本体は、分岐挿入部を高圧冷媒の設計圧力に耐えうる素管を大径管状部とすると共に、該大径管状部の一端部を絞り加工した本流挿入部を小径管状部とし、前記分岐パイプの各々の挿入部を大径管状部の内径に対応するよう成形加工すると共に分岐管パイプの挿入部の上部を外側に曲げ加工して作業空間を設けたものを集合体として前記大径管状部に挿入し、ロー付け加工してなる高圧冷媒用分岐管装置である。
【考案の効果】
【０００６】
大径管状部の太さの素管選定の段階で高圧冷媒の設計圧力に耐えうるものを選べば、素管の切断作業、本流挿入部の絞り加工、分岐パイプの挿入部の成形加工、ロー付け加工の工程のみで出来上がり、安価で、且高信頼性の分岐管装置を提供でき、又分岐パイプの挿入部上部に作業空間ができるので互いの分岐パイプの挿入部の接触部にもロー付け加工のロー材が侵入しやすく、同時に作業がし安く確実にロー付け加工ができ、断熱材などの巻作業も個々の分岐パイプ毎に行うことができる。
【実施例】
【０００７】
本考案を図示の実施例によって詳記すると、複数本の分岐パイプ１、１を挿設する分岐アタッチメント本体２は、分岐挿入部３を大径管状部４とすると共に本流挿入部５を小径管状部６とし、前記分岐パイプ１、１の各々の挿入部７、７を大径管状部４の内径に対応するよう半円状に成形加工すると共に、分岐管パイプ1，1の挿入部７，7の上部を外側に曲げ加工して作業空間Aを設け、これら半円状の挿入部７，７を組み合わせ集合体８として前記大径管状部４に挿入し、ロー付け加工を施し、分岐アタッチメント本体２の本流挿入部５には本流パイプ９を挿設したものである。挿入部７，７の上部の外側への曲げ加工は何れか一方の挿入部上部でもよい。
【０００８】
分岐アタッチメント本体２は、大径管状部４の太さで高圧冷媒の設計圧力に耐えうる素管を用い、該素管の一端部を絞り加工して本流挿入部５とするもので、これにより歩留まり良い正確な加工ができ、大量生産で安価に提供できる。
【０００９】
図のものは２本の分岐パイプ１，１を半円状に加工した挿入部７，７示してあるが、分岐パイプ１の本数が増えれば、その本数にあった成形加工をし、集合体８として大径嵌状部４に挿設する。又挿入部７、７の成形加工は鍛造品としての成形加工でも良い。
【００１０】
本考案は以上の如く、複数本の分岐パイプを挿設する分岐アタッチメント本体は、分岐挿入部を高圧冷媒の設計圧力に耐えうる素管を大径管状部とすると共に、該大径管状部の一端部を絞り加工した本流挿入部を小径管状部とし、前記分岐パイプの各々の挿入部を大径管状部の内径に対応するよう成形加工すると共に分岐管パイプの挿入部の少なくとも一方の上部を外側に曲げ加工して作業空間Aを設けたものを集合体として前記大径管状部に挿入し、ロー付け加工してなるもので、大径管状部の太さの素管選定の段階で高圧冷媒の設計圧力に耐えうるものを選べば、素管の切断作業、本流挿入部の絞り加工、分岐パイプの挿入部の成形加工、ロー付け加工の工程のみで出来上がり、安価で、且高信頼性の分岐管装置を提供でき、又分岐パイプの挿入部上部に作業空間ができるので互いの分岐パイプの挿入部の接触部にもロー付け加工のロー材が侵入しやすく、同時に作業がし安く確実にロー付け加工ができ、断熱材などの巻作業も個々の分岐パイプ毎に行うことができる。
【図面の簡単な説明】
【００１１】
【図１】本考案の高圧冷媒用分岐管装置の正面説明図。
【符号の説明】
【００１２】
１、１は分岐パイプ
２は分岐アタッチメント本体
３は分岐挿入部
４は大径管状部
５は本流挿入部
６は小径管状部
７は挿入部
８は集合体
Aは作業空間
【図１】
0003118154.tif 000003
(57)【要約】【課題】  マッサージ効果のあるペット用のベッドを提供する。【解決手段】  ペット用のベッドに、多数のイボ状突起を形成した。【選択図】図１
0003118145.tif 000002
【実用新案登録請求の範囲】
【請求項１】
多数のイボ状突起を形成したペット用のベッド及びベッドカバー。
【考案の詳細な説明】
【技術分野】
【０００１】  この考案は、多数のイボ状突起を形成したペット用のベッドに関するものである。
【背景技術】
【０００２】  従来、イボ状突起を形成したペット用のベッドはなかった。
【考案の開示】
【考案が解決しようとする課題】
【０００３】  本考案は、ペットにマッサージ効果を持たせるベッドを提供することを課題とする。
【課題を解決するための手段】
【０００４】  ペット用のベッド及びベッドカバーに多数のイボ状突起を形成させた。
【考案の効果】
【０００５】  ペットがベッドに乗り降りする際、イボ状突起の刺激により足裏にマッサージ効果を与えられ、睡眠時には全身にマッサージ効果を与えられる。
【考案を実施するための最良の形態】
【０００６】  ゴム製ベッドの表面部に、直径３ｍｍ、高さ３ｍｍ程度の円柱形のイボ状突起を１０ｍｍ程度の間隔で形成する。イボ状突起の大きさを一部変えて刺激の変化をもたせる。
【図面の簡単な説明】
【０００７】
【図１】  本考案の平面図である。
【図２】  本考案の正面図である。
【符号の説明】
【０００８】  １  ベッド
２  イボ状突起
【図１】
0003118145.tif 000003
【図２】
0003118145.tif 000004
(57)【要約】      （修正有）【課題】財布に納められたカードからのスキミングを防止する。【解決手段】電磁波遮断層３を備え、財布１０に収納されるカード１５からのデータの不正読み取りを防止するように財布１０に装着使用されることを特徴とする財布装着具。【選択図】図２
0003118141.tif 000002
【実用新案登録請求の範囲】
【請求項１】
電磁波遮断層を備え、財布に収納されるカードからのデータの不正読み取りを防止するように財布に装着使用されることを特徴とする財布装着具。
【考案の詳細な説明】
【技術分野】
【０００１】  この考案は財布装着具に関する。
【背景技術】
【０００２】  最近、カードのデータのスキミングによる不正使用の問題が多発している。通常カードは財布に入れている場合が多く、例えば、混雑する電車内等において服のポケットやカバンに入れいる財布においてスキミングが行われる。
【考案の開示】
【考案が解決しようとする課題】
【０００３】  この考案では、財布に納められたカードからのスキミングを防止できるようにすることを目的とする。
【課題を解決するための手段】
【０００４】  この考案では、電磁波遮断層を備え、財布に収納されるカードからのデータの不正読み取りを防止するように財布に装着使用されることを特徴とする財布装着具を提供する。【０００５】  上記構成の財布装着具を財布に装着使用することで、財布に収納されるカードからのデータの不正読み取りが、読み取り信号が電磁波遮断層で遮断されることで防止される。
【考案の効果】
【０００６】  この考案によれば、財布に納められたカードからのスキミングが、容易、かつ、確実に防止できるようになる。
【考案を実施するための最良の形態】
【０００７】  図１はこの考案の財布装着具の第１の実施形態の使用形態を示す斜視図、図２はその断面図である。１は財布装着具としての電磁波遮断シートであり、図２に示すように、樹脂フィルム２、２間に電磁波遮断層としてのアルミ箔３が積層固定されて構成されており、アルミ箔３により一方面側から他方面側への電磁波の通過を遮断する機能を持つ。樹脂フィルム２、２はアルミ箔３を保護し、また、装飾模様を持つことで電磁波遮断シート１の意匠性を高めている。【０００８】  上記電磁波遮断シート１は、矢印Ａで示すように財布１０の奥のポケット１２に納められて用いられる。このように電磁波遮断シート１が財布１０に装着使用されたことで、財布１０の前側のポケット１４に入れられたカード１５のスキミングが防止される。すなわち、財布１０のカード１５が入れられた側１０ａを体の外方に向くように服のポケットに入れることで、外方からの読み取り信号Ｓが電磁波遮断シート１で遮断されてスキミングが防止される。【０００９】  図３はこの考案の財布装着具の第２の実施形態の外観斜視図である。２０は財布装着具としてのカードホルダーであり、このカードホルダー２０は第１の実施形態の電磁波遮断シート１と同構成の２枚のシートが重ね合わされ、その間にカード２２が納められるポケット２４が設けられて構成されている。このカードホルダー２０も、第１の実施形態の財布１０の奥のポケット１２部分に納められて用いられる。このカードホルダー２０にカード２２を納めて財布１０内に持つことで、カード２２の両側面に電磁波遮断層が位置することとなり、これによりカード２２におけるスキミングが確実に防止される。カードホルダー２０は単独に使用することもできる。【００１０】  図４はこの考案の財布装着具の第３の実施形態の外観斜視図である。３０は財布装着具としての財布カバーであり、図１に示す折り畳み財布１０の薄い形態となる一方側１０ｘが内部に納められる収納部３２と、その収納部３２に矢印方向に折り曲げ可能に一体に設けられ財布１０の他方側１０ｙの外面１０ａを覆うカバー体３４とからなる。この財布カバー３０も第１の実施形態の電磁波遮断シート１と同構成の２枚のシートが重ね合わされることで収納部３２が構成されている。この財布カバー３０が財布１０に装着使用されることで、財布１０内のカード１５の両側面に電磁波遮断層が位置することとなり、これによりカード１５におけるスキミングが確実に防止される。【００１１】  また、この財布カバー３０を用いることで財布１０の汚れや損傷を防止できるとともに、財布カバー３０の外面３１を装飾性豊かなものとすることで財布１０の意匠性を高めることもでき、複数の財布カバー３０を持って取り替え使用することで財布１０の意匠を種々異なるものとできてその使用を楽しめるようになる。
【図面の簡単な説明】
【図１】  財布装着具の第１の実施形態である電磁波遮断シートの使用状態斜視図
【図２】  財布装着具の第１の実施形態である電磁波遮断シートの使用状態断面図
【図３】  財布装着具の第２の実施形態であるカードホルダーの外観斜視図
【図４】  財布装着具の第３の実施形態である財布カバーの外観斜視図
【符号の説明】
１  電磁波遮断シート（財布装着具）
３  アルミ箔（電磁波遮断層）
１０  財布
１５  カード
【図１】
0003118141.tif 000003
【図２】
0003118141.tif 000004
【図３】
0003118141.tif 000005
【図４】
0003118141.tif 000006
(57)【要約】      （修正有）【課題】トイレットペーパーホルダー上部に設けて、トイレットペーパーを覆い被せることによって、水の飛散から保護するトイレットペーパー用防滴カバーの提供。【解決手段】撥水性に富んだ材質１に着脱自在のテープが装着してある。使用時には、着脱自在のテープ４と５を剥がし、次に、６と１０を剥がして折り畳んであるそれぞれの面を開いて、ｅをトイレットペーパーの下方に持っていき、最後に７、８、９のいづれかの着脱自在のテープを、壁面の任意の位置にある着脱自在のテープに張り付けることにより、トイレットペーパーに覆い被さって防滴の効果がある。【選択図】図１
0003118124.tif 000002
【実用新案登録請求の範囲】
【請求項１】
既に、壁面に設置してあるトイレットペーパーホルダーの上に、折り目のついた撥水性のある材質の本体１を折り畳んだ状態で固定してあり、使用時に着脱自在のテープ、若しくは磁石片で止めた箇所を外し、１を開いてトイレットペーパーホルダーに被せ、次に本体カバーの先をトイレットペーパーホルダーの下の壁面の着脱自在テープ、若しくは磁石片に止めることによって、水の飛散からトイレットペーパーホルダーを保護する折り畳み式を特徴とした防滴カバー。
【考案の詳細な説明】
【技術分野】
【０００１】  本考案は広く市販されているトイレットペーパーの防滴に関するものである。
【背景技術】
【０００２】  トイレのある浴室において、入浴したり、シャワーを使用する場合、水が飛散するので、その都度トイレットペーパーを外していた。
【考案の開示】
【考案が解決しようとす課題】
【０００３】  トイレットペーパーをホルダーから外して、水の掛からない場所に移す手間、さらには水の飛散により、トイレットペーパーのホルダーの表面が濡れるため、雑巾等で拭く手間、その後のトイレットペーパーを取り付ける手間を解決するものである。
【課題を解決するための手段】
【０００４】  本考案は、撥水性のある合成樹脂等の材質で形成された防滴カバーを折り畳んだ状態でトイレットペーパーのホルダー上部に設置してあり、入浴時に防滴カバーを折り目にそって開き、ホルダーに被せて使用し、入浴後に元の状態に折り畳んでおく。
【考案の効果】
【０００５】  上述の様に使用することによって、入浴の際の煩わしさから解放し、トイレットペーパーを付け忘れることがなく、又、防滴カバーを壁面に設置しておくので、失うことがなく、簡単に使用できて、場所をとることがない。
【実施例】
【０００６】  以下、添付図面に従って一実施例を説明する。トイレットペーパーホルダー上部の壁面に本体１を粘着テープ２で取り付け、使用時は４と５、６と本体の上方の壁面に接着した１０を剥がし、次にｄを離して、ｂとｃを直角に折りホルダーの左右の側板の外に降ろし、ｅをトイレットペーパーの残量に応じて折り曲げて７、８、９の何れかをホルダー下方の壁面に接着した１１に張り付ける。入浴後に収納する時は、１１に張った着脱自在のテープを剥がし、ｆ部を折り曲げ６と１０を張り、ｂ、ｃの順に折り畳んで４と５を張り合わせる。尚、３は６と１０を脱着する際に指先で摘み、上げ下げするものである。
【図面の簡単な説明】
【０００７】
【図１】防滴カバー本体の展開図である。
【図２】壁面に接着する着脱自在のテープの正面図である。
【図３】本防滴カバーの実施例の側面図である。
【符号の説明】
【０００８】１、防滴カバー本体
２、粘着テープ
３、摘み片
４、５、６、７、８、９、１０、１１、着脱自在のテープ
ａ、背板
ｂ、左側板
ｃ、右側板
ｄ、上板
ｅ、前面及び下方板
ｆ、折り目線
【図１】
0003118124.tif 000003
【図２】
0003118124.tif 000004
【図３】
0003118124.tif 000005
(57)【要約】      （修正有）【課題】  シートを確実に固定でき、シートを加工しなくても、合わせ目の固定が完全になり、施工が容易であり、アンカーピンが抜け難く、アンカーピンを打ち込む地形に影響されずにシートを固定できる。【解決手段】  爪や金属線を固着したアンカーピン、中央に穴を開け裏面に凹部分と放射線状の溝を具備した座金、両端をリング状に丸めた形状の押さえバーより構成され、押さえバーを地面に敷設するシート上面に置き、押さえバーに凹部分と溝を合わせて座金を被せ、座金の穴にアンカーピンを打ち込んでシートを固定する。【選択図】    図１
0003118126.tif 000002
【実用新案登録請求の範囲】
【請求項１】
爪を具備するアンカーピン、中央に穴を開け裏面に凹部分と放射線状の溝を具備した座金、両端をリング状に丸めた形状の押さえバーより構成され、
押さえバーを地面に敷設するシート上面に置き、押さえバーに凹部分と溝を合わせて座金を被せ、座金の穴にアンカーピンを打ち込んでシートを固定することを特徴とするシート固定用具。
【請求項２】
金属線を巻いた形状のアンカーピンであることを特徴とする請求項１に記載のシート固定用具。
【考案の詳細な説明】
【技術分野】
【０００１】  本考案は、防草シート、法面養生シート、防水シート等、各種シートを地面に固定する用具に関している。
【背景技術】
【０００２】  雑草の生育防止のための防草シート、傾斜地の土留めのための法面養生シート、防水のための防水シート等は帯状に形成され、並べたシートの上面からコの字型のアンカーピンを適当な間隔をおいて打ち込んで固定している。
【考案の開示】
【考案が解決しようとする課題】
【０００３】  遮光と水分補給防止により雑草が生えるの阻止する手段として防草シートが使用され、傾斜地の土砂が流出するのを防止するため法面養生シートが使用され、防水目的に防水シートが使用されている。
これらのシートの上からコの字型のアンカーピンを地面に打ち込んで固定している。風で並べたシートの合わせ目が浮き上がり、アンカーピンが抜けるとシートが捲り上がり太陽光や水が入りシートの敷設目的を達成しない。そこで、シートの縁に折り返しを設けて折り返した上からアンカーピンを打ち込む方法を取っているケースもあるが、シートを加工する必要がありコスト高になる。ビニールハウスのシートを固定するため、杭の先端からバネの作用で爪を突出させ、抜け止め効果を持たせた杭がある。これは、杭の太さが抜け止めの構造を可能にしているためであり、釘状の細いアンカーピンには適していない。
【課題を解決するための手段】
【０００６】  従来のコの字型の形状が打ち込みに難点があり、抜け止めの効果を充分に発揮していないことから、本考案ではアンカーピンの形状を変更し、機能を向上させている。
本考案になるアンカーピンは釘と同じ形状であり、アンカーピンの平らになった頭を叩いて打ち込む。シートの上に押さえバーを置き、押さえバーを固定する座金を被せ、座金の中央に開けた穴にアンカーピンを差し込んで地面に打ち込む方式である。【０００７】  アンカーピンの形状は、先端の尖った部分から少し上に抜け止め用爪がアンカーピンの頭に向かって突き出している。アンカーピンの爪は打ち込む際の抵抗とならず、引き抜くときには強い抵抗となる。【０００８】  アンカーピンの外側に金属線を巻いた形状とすると、アンカーピンを打ち込むときに金属線はアンカーピンに巻き付き、打ち込む際の抵抗とならない。しかし、アンカーピンを引き抜くときは金属線が縮まり、強い抵抗となる。【０００９】  座金は中央にアンカーピンを通す穴が開いていて、裏面に円形の凹みと放射線状に溝を設けている。【００１０】  押さえバーは細長い金属棒であり、棒の両端はアンカーピンの軸が通り抜けるサイズでリング状に丸めてあり、平らに置くことができる。【００１１】  本考案になるシート固定用具の使用方法は、シート上面に押さえバーを置き、押さえバーのリングと軸に座金の凹部分と溝を合わせて被せ、座金の中央の穴にアンカーピンを打ち込んで固定する。座金の穴は爪を有するアンカーピンが通過できるように、穴を広げたり、アンカーピンに合わせた形状としている。アンカーピンで固定した押さえバーの反対側のリングの固定も上記と同様の手順で行われる。
押さえバーの形状は、間隔を置いてリングを設け、連続してアンカーピンを打ち込めるようにすることもできる。
【考案の効果】
【００１２】  本考案の効果は下記の通りである。
【イ】
シートを確実に固定できる。
【ロ】
シートを加工しなくても、合わせ目の固定が完全になる。
【ハ】
施工が容易であり、アンカーピンが抜け難い。
【ニ】
アンカーピンを打ち込む地形に影響されずにシートを固定できる。
【考案を実施するための最良の形態】
【００１３】  以下、本考案の実施の形態について説明する。
【実施例１】
【００１４】  図１は本考案になるシート固定用具の構成を表す斜視図である。
アンカーピン（１）にはアンカーピンの軸（２）の下部に爪（３）が固着している。座金（４）には中央に穴（５）が開けられ、裏面に円形の凹部分（６）と凹部分から座金の周辺に向かい放射線状に溝（７）が設けられている。押さえバー（８）の両端は丸められてリング（９ａ）、（９ｂ）になっている。【００１５】  図２に示すようにシート（１１）に押さえバー（８）を置き、押さえバーのリング（９ａ）と軸（１０）に座金（４）の凹部分（６）と溝（７）を合わせて座金（４）を被せ、座金（４）の穴（５）にアンカーピン（１）を打ち込み地面に固定する。アンカーピン（１）の先端に爪（３）が固着していて地面からの抜け止めとなっている。【００１６】  図３は座金（４）と押さえバー（８）との関係を示す説明図であり、図４は座金（４）を側面から見た状態を示している。
【実施例２】
【００１７】  図５に示すように、アンカーピン（１）の爪（３）に替えてアンカーピンの軸に金属線（１２）を巻きつける方法もある。金属線（１２）はアンカーピン（１）を地面に打ち込んだときはアンカーピン（１）に巻きつくので打ち込みの妨げにならない。地面がらアンカーピン（１）を抜き出すときは抵抗体となりアンカーピン（１）を抜き難くする。
【図面の簡単な説明】
【００１８】
【図１】シート固定用具の構成を表す斜視図である。
【図２】シート固定用具の使用状態を表す断面図である。
【図３】座金と押さえバーとの関係を示す説明図である。
【図４】座金の側面図である。
【図５】アンカーピンの説明図である。
【符号の説明】
【００１９】      １  アンカーピン
２  アンカーピンの軸
３  爪
４  座金
５  穴
６  凹部分
７  溝
８  押さえバー
９ａ、９ｂ  リング
１０  押さえバーの軸
１１  シート
１２  金属線
【図１】
0003118126.tif 000003
【図２】
0003118126.tif 000004
【図３】
0003118126.tif 000005
【図４】
0003118126.tif 000006
【図５】
0003118126.tif 000007
(57)【要約】      （修正有）【課題】多数の人が同時に同じ銘柄のペットボトルを使用するときに、それぞれのペットボトルが見分け易くする。【解決手段】ラベルの上部又は下部に、文字や数字などを書き加えておき、ミシン線などにより剥離しやすい状態にしておき、文字や数字などを一部剥離することにより、他のペットボトルと見分けやすくする。【選択図】図１
0003118127.tif 000002
【実用新案登録請求の範囲】
【請求項１】
ペットボトルの外部に巻きつけてあるラベルの上部又は下部に、文字や数字などを書き加えて、ミシン線などにより剥離しやすい状態にしておき、その一部を剥離することにより、他のペットボトルと見分けやすくした識別式ラベル。
【考案の詳細な説明】
【技術分野】
【０００１】  本考案は、ペットボトルに使用するラベルに関する。
【技術背景】
【０００２】  本来のペットボトルでは、単にラベルを巻いているだけである。
【考案の開示】
【考案が解決しようとする課題】
【０００３】  しかし、これだけでは、多数の人が同時に同じ銘柄のペットボトルを使用するときに、それぞれのペットボトルが見分けにくく不便である。
【課題を解決するための手段】
【０００４】  そこで、ラベルの上部又は下部に、文字や数字などを書き加えておき、ミシン線などにより剥離しやすい状態にしておき、文字や数字などを一部剥離することにより、他のペットボトルと見分けやすくする。
【考案の効果】
【０００５】  よって、本考案の識別式ラベルにより、多数の人が同時に同じ銘柄のペットボトルを使用しても見分けることができる。
【考案を実施するための最良の形態】
【０００６】  本考案に係る識別式ラベルは、図１に示すように、ペットボトルのラベルの上部又は下部に、文字や数字などを書き加え、ミシン線などにより剥離し易くしておく。
【図面の簡単な説明】
【０００７】
【図１】  本考案に係る識別式ラベルを使用した状態の側面図である。
【符号の説明】
【０００８】  １    ペットボトル
２    ふた
３    識別式ラベル
４    識別部
５    ミシン線
６    書き加えた文字又は数字など
【図１】
0003118127.tif 000003
(57)【要約】【課題】  本考案は、調理の際に計量スプーンや計量カップなどの専用の計量道具を必要としない、食事で使用できる計量目盛りが記されているスプーンである。【解決手段】  本考案は、スプーンの中央の窪みに調理の目安となる計量単位の小さじ一杯分の５ｃｃ、中さじ一杯分の１０ｃｃ、大さじ一杯分の１５ｃｃの目盛りを浅い溝の線で記すことにより、計量スプーンや計量カップなどの専用の計量道具を必要としない調理に役立つ。【選択図】    図１
0003118130.tif 000002
【実用新案登録請求の範囲】
【請求項１】
大スプーン本体は、大さじ一杯分の１５ｃｃより大きめに作られたスプーン本体の中央の窪みの中心から外側に向かって５ｃｃ、１０ｃｃ、１５ｃｃの分量を表す浅い溝の線を記したことを特徴とする計量目盛りが記されているスプーン
【請求項２】
中スプーン本体は、中さじ一杯分の１０ｃｃより大きめに作られたスプーン本体の中央の窪みの中心から外側に向かって５ｃｃ、１０ｃｃ、の分量を表す浅い溝の線を記したことを特徴とする計量目盛りが記されているスプーン
【考案の詳細な説明】
【技術分野】
【０００１】  本考案は、調理の計量の際に必要となる目盛りが記されているスプーンに関するものである。
【背景技術】
【０００２】  従来、調理の際には計量スプーンや計量カップなどの専用の計量道具を必要とし、その都度、計量道具を手元に用意して置く煩わしさがあった。
【考案の開示】
【考案が解決しようとする課題】
【０００３】  専用の計量道具を必要とする調理上の煩わしさは、かなりの労働的負担である、従って、いつでも調理場の身近に置いてある計量目盛りが記されているスプーン本体を使用することにより、前述の欠点を解決しようとするものである。
【課題を解決するための手段】
【０００４】  本考案は、普段から食事をする為の大スプーン本体、及び、中スプーン本体の中央の窪みの中心から外側に向かって調理の目安となる計量単位の小さじ一杯分の５ｃｃ、中さじ一杯分の１０ｃｃ、大さじ一杯分の１５ｃｃの目盛りを浅い溝の線で記すことにより、問題点を解決している。
【考案の効果】
【０００５】  上述の様に、本考案の計量目盛りが記されている大スプーン本体、及び、中スプーン本体は普段から食事で使用しているスプーンである為、調理に必要な計量スプーンや計量カップなどの専用の計量道具を手元に用意して置く必要が無くなることで、手際の良い調理に役立つ。
【考案を実施するための最良の形態】
【０００６】  大スプーン本体は、大さじ一杯分の１５ｃｃより大きめに作られたスプーン本体の中央の窪みの中心から外側に向かって５ｃｃ、１０ｃｃ、１５ｃｃの分量を表す浅い溝の線を記し、尚、中スプーン本体は、中さじ一杯分の１０ｃｃより大きめに作られたスプーン本体の中央の窪みの中心から外側に向かって５ｃｃ、１０ｃｃ、の分量を表す浅い溝の線を記すことにより、大スプーンでは、小さじ、中さじ、大さじの計量が出来、中スプーンでは、小さじ、中さじの計量が可能になる。
【実施例】
【０００７】  以下、添付図面に従って一実施例を説明する。大スプーン本体１は、大さじ一杯分の１５ｃｃより大きめに作られ、大スプーン本体１の中央の窪みの中心から外側に向かって、調理の目安となる計量単位の小さじ一杯分の５ｃｃ、中さじ一杯分の１０ｃｃ、大さじ一杯分の１５ｃｃの目盛りを浅い溝の線２、３、４で記す、尚、中スプーン本体５は、中さじ一杯分の１０ｃｃより大きめに作られ、中スプーン本体５の中央の窪みの中心から外側に向かって、調理の目安となる計量単位の小さじ一杯分の５ｃｃ、中さじ一杯分の１０ｃｃ、の目盛りを浅い溝の線２、３で記す。
【図面の簡単な説明】
【０００８】
【図１】本考案の計量目盛りが記されている大スプーン本体１の実施例を上から見た図である。
【図２】上述の（図１）を横から見た図である。
【図３】本考案の計量目盛りが記されている中スプーン本体５の実施例を上から見た図である。
【図４】上述の（図３）を横から見た図である。
【符号の説明】
【０００９】１  大スプーン本体
２  小さじ一杯分の５ｃｃ
３  中さじ一杯分の１０ｃｃ
４  大さじ一杯分の１５ｃｃ
５  中スプーン本体
【図１】
0003118130.tif 000003
【図２】
0003118130.tif 000004
【図３】
0003118130.tif 000005
【図４】
0003118130.tif 000006
(57)【要約】      （修正有）【課題】グランドのライン引きに使用する石灰を入れたラインカーに関し、袋に収納されている石灰を、わざわざ袋から出すことなく袋のままラインカーの中に入れてラインカーとして機能させる事ができるラインカーを提供する。【解決手段】ラインカーの取手１の延長部分に石灰袋収納部３までつながっている背板２を設け、ラインカーを倒した状態で背板の部分に石灰袋７をそのまま乗せ、石灰袋の封を切る。次に取手の部分を持って引き起こすことにより背板に乗っている石灰袋が下にずり落ち、ラインを引ける状態にセットされる。こうすることにより、簡単に石灰をラインカーにセットできるだけでなく、石灰が舞い散ることもないので健康上の危険性も軽減される。【選択図】図１
0003118125.tif 000002
【実用新案登録請求の範囲】
【請求項１】
取手の部分に背板を設け、ラインカーの取手部分を地面に付け背板の部分を低くすることにより、容易に石灰袋をラインカーにセットでき、取手部分を持ち上げることにより、石灰袋が下に落ち、石灰がセットされ、石灰袋をそのままラインカーの中にいれて使用することができるラインカー。
【考案の詳細な説明】
【技術分野】
【０００１】従来ラインカーを使用する場合は、石灰を一旦石灰袋からポリバケツ等の他の石灰入れ容器にあけ、スコップの類の道具を使用し再度ラインカーの中に入れるという作業を行っていた。これは大変な時間の無駄と、石灰が舞い散り衣服が汚れ、石灰粉を吸い込んでしまうという健康上にも大きな問題があった。
【背景技術】
【０００２】グランドのライン引きに使用する石灰は、石灰袋などの袋詰めにされて販売されているが、通常、購入後一旦ポリバケツ等の容器に移し替える。その後必要に応じスコップの類いなどの道具を使い、石灰をラインカーに移し変え使用する。
【考案の開示】
【考案が解決しようとする課題】
【０００３】従来ラインカーを使うときは、石灰袋から一旦中の石灰を他の容器にあけ、それを必要に応じスコップのような道具でラインカーの中に移しかえて使用していた。そのため時間の無駄と共に、石灰のロス、衣服の汚れ、舞い散る石灰粉を吸い込む危険性等があった。折角袋に収納されている石灰を、わざわざ袋から出すことなく袋のままラインカーの中にいれてラインカーとして機能させることが出来ないか、これが出来れば手間を省くと同時に、石灰が舞い散ることも無いため、衣服等を汚すことも無く健康上にも良い。
【課題を解決するための手段】取手の部分に背板を設け、ラインカーの取手部分を地面に付け背板の部分を低くすることにより、容易に石灰袋をラインカーにセットでき、取手部分を持ち上げることにより、石灰袋が下に落ち、石灰がセットされ、石灰袋をそのままラインカーの中にいれて使用することができるラインカー。
【考案の効果】ラインカーをまず図−１のように倒すことにより、石灰袋を低い位置でラインカーの上に乗せることができ、石灰袋を上まで持ち上げることなく、大きな力を使用せず石灰袋をラインカーにセットできる。つまり非力な子供や女性でも安全にそして簡単に石灰袋をセットできる。そして石灰袋の封を切り、そのまま取手の部分を持ち上げることにより石灰袋が下にずり落ち、ラインカーにセットされる。このように石灰を簡単にセットでき、同時に石灰が飛び散ることも無いため、衣服を汚さず健康上にも問題が無い。
【考案を実施するための最良の形態】
【実施例】以下添付図面に従って実施例を説明する。まずラインカーを寝かせた状態（図−３、図−１０）にすることにより、取手の部分（符号−１）が地面につき、背板（符号−２）が地面と平行に近く、低い位置に来るので石灰袋を置きやすくすることができる。次にこの背板の部分（符号−２）にまず石灰袋を置き（図−１、図−１１）次に石灰の袋の封を切り、そのまま取手部分（符号−１）を引き上げることにより、石灰袋が下にずり落ち、自然に石灰がラインカーの中にセットされる。（図−２、図−１２、図−１３）
【図面の簡単な説明】
【図１】２輪ラインカーに石灰袋をセットしたところのイメージ図。
【図２】２輪ラインカーに石灰袋セット後、取手部分を引き上げ、石灰袋が下にずり落ち使用できる状態のイメージ図。
【図３】２輪ラインカーを寝せたところ。取手部分が地面についている状態。
【図４】２輪ラインカーを寝せた状態で、石灰排出部から見たところ。
【図５】２輪ラインカーを寝せた状態で、取手部から見たところ。
【図６】２輪ラインカーを立てたところ。横から見たところ。
【図７】２輪ラインカーを立てた状態で、正面から見たところ。
【図８】２輪ラインカーを立てた状態で、裏面から見たところ。
【図９】４輪ラインカーを立てた状態。横から見たところ。
【図１０】４輪ラインカーを寝せた状態。横から見たところ。
【図１１】４輪ラインカーに石灰を載せたイメージ図。
【図１２】４輪ラインカーに石灰を乗せ立てたところのイメージ図。
【図１３】４輪ラインカーを立て石化袋を乗せた状態で、裏面から見たイメージ図。
【図１４】一連の動作を示す図。
【符号の説明】
１．取手
２．石灰袋を乗せる背板
３．石灰袋収納部
４−１．２輪及び４輪ラインカーの前車輪
４−２．４輪ラインカーの後車輪
５．２輪ラインカーの倒れ防止棒
６．ライン幅調節板
７．石灰袋
【図１】
0003118125.tif 000003
【図２】
0003118125.tif 000004
【図３】
0003118125.tif 000005
【図４】
0003118125.tif 000006
【図５】
0003118125.tif 000007
【図６】
0003118125.tif 000008
【図７】
0003118125.tif 000009
【図８】
0003118125.tif 000010
【図９】
0003118125.tif 000011
【図１０】
0003118125.tif 000012
【図１１】
0003118125.tif 000013
【図１２】
0003118125.tif 000014
【図１３】
0003118125.tif 000015
【図１４】
0003118125.tif 000016
(57)【要約】      （修正有）【課題】明るいところでは軽量であるということと暗いところでは足元を確実に照らし、より安全性の向上に寄与するステッキを提供する。【解決手段】下端の石突き１と上端のグリップ３との中間に段差加工を施して光源２を取り付けるようにしたものである。【選択図】図１
0003118121.tif 000002
【実用新案登録請求の範囲】
【請求項１】
パイプ状の素材に段曲げ加工を施し  LEDユニットを装着することにより夜間の歩行が安全にできるようにする歩行補助ステッキ。
【請求項２】
マグネシウム合金を使用し軽量かつ丈夫な請求項１記載のステッキ
【考案の詳細な説明】
【技術分野】
【０００１】
本考案は、夜間でも安全に歩行補助できるステッキに関するものである
【背景技術】
【０００２】
従来のステッキでは、夜間の歩行に際してステッキのほかに懐中電灯などの光源を持たなければならず、両手をふさぐことになる。
【０００３】
したがって、従来型ステッキを使用する高齢者や身体障害者の安全は、確保されにくくなっている。
【考案の開示】
【考案が解決しようとする課題】
【０００４】
従来のステッキは、重量も大きく暗いところでの歩行補助具としては、役に立たなかった。
【０００５】
本考案は、明るいところでは軽量であるということと暗いところでは足元を確実に照らし、より安全性の向上に寄与するステッキを提供することを目的とする。
【課題を解決するための手段】
【０００６】
上記目的を達成するために請求項１にかかるステッキは、光源を下向きに取り付け取り外しができるようにしたことを特徴とするものである
【０００７】
また、請求項２にかかるステッキは、マグネシウム合金を使用し段差加工を施すことによって光源を取り付けることができ、軽量かつ丈夫さを兼ね備えたことを特徴とするものである。
【考案の効果】
【０００８】
請求項１に係るステッキは、暗いところでの歩行補助具として有益かつ効果的である。光源のスイッチON状態では  自動車、自転車等の運転手に対して注意を喚起することができて有益である。
【実施例】
【０００９】
図１に示す第１実施例は、下端の石突き１と上端のグリップ３との中間に段差加工を施して光源２を取り付けるようにしたものである。
【図面の簡単な説明】
【００１０】
【図１】本考案に係るステッキの形状図である
【符号の説明】
【００１１】
１・・・石突き
２・・・光源
３・・・グリップ
【図１】
0003118121.tif 000003
(57)【要約】      （修正有）【課題】  本考案は腰を曲げずにポリシャーのタイヤを上げるようにする。【解決手段】  ステンレスの機具２をポリシャー１の右側のタイヤを取り外しステンレスの機具２の輸かを取り外したタイヤとの間に合わせタイヤを合わせる。【選択図】  図２
0003118123.tif 000002
【実用新案登録請求の範囲】
【請求項１】
ポリシャー本体の右タイヤの所にステンレスの機具を設け腰しを曲げずにタイヤを上げることを自在としたところを特徴とするステンレスを利用したポリシャーのタイヤを上げる機具
【考案の詳細な説明】
【技術分野】
【０００１】  本考案は、ポリシャーにステンレスの機具を設けタイヤを上げる物である。
【背景技術】
【０００２】  建物の床面、カーペット清掃においてタイヤを上げる時に腰しを曲げてタイヤを上げていた。
【考案の開示】
〔考案が解決しようとす課題〕
【０００３】  ポリシャータイヤを上げる時に腰を曲げてタイヤを上げることは、体だ全体の負担が大きい従って、ポリシャーのタイヤを体を曲げずに立ったままの状態でタイヤを上げることにより解決しようとするものである。
【課題を解決するための手段】
【０００４】  本考案は、ポリシャーのタイヤを上げるために軽くて堅いステンレスを利用しタイヤを上げる時にステンレスの機具を引くことによりタイヤを上げることを自在とすることにより間題点を解決している。
【考案の効果】
【０００５】  軽くて堅いステンレスの機具をポリシャーのタイヤの所に合わせることにより簡単にタイヤを上げることができしかも狭いトイレなどの室内での床面清掃作業がしやすい。
〔考案の実施するための最良の形態〕
【０００６】  作業を初める床面の所にポリシャーを移動しポリシャー本体のハンドルを下げステンレスの機具を引っぱることによりポリシャーの下にあるタイヤは、上がる。
【実施例】
【０００７】  以下、添付図面に従って一実施例を説明する。１は、ポリシャー本体２は、ポリシャーのタイヤを上げるためのステンレスの機具。【０００８】  ３は、前記ポリシャー本体のタンク部分に取り付けポリシャーのハンドルを上げ下げした時にステンレスの機具がタイヤを上げ下げ自在となる。【０００９】  本考案の一実施例は、狭いトイレ内の床面清掃において男子トイレ内から女子トイレ内のポリシャーの移動をしポリシャーのタイヤを上げる時、腰を痛めない。
【図面の簡単な説明】
【００１０】
【図１】ステンレスの機具と止めがねとポリシャーの横面である。
【図２】ステンレスの機具と止めがねをポリシャーに取り付けた横面である。
【符号の説明】
【００１１】１  ポリシャー本体
２  ステンレスの機具
３  止めがね
【図１】
0003118123.tif 000003
【図２】
0003118123.tif 000004
(57)【要約】      （修正有）【課題】  広げた形が楕円形をした吸水性の有るバスタオルの提供。【解決手段】  吸水性の有る布を広げた形が楕円形になる様に裁断し、楕円形の布の周りが解れない様に縫製２して仕上がったバスタオル本体１である、尚、バスタオル本体１の両端の楕円の狭い部分３を手で握ってバスタオル本体１を濡れた身体に当てれば楕円の広い部分４が身体に広く触れることで水気を素早く拭き取る事に役立つ。【選択図】    図１
0003118129.tif 000002
【実用新案登録請求の範囲】
【請求項１】
バスタオル本体の広げた状態が楕円形になる様に裁断された吸水性の有る一枚布で、布の周りが解れない様に縫製されたところを特徴とする身体を広く拭けるバスタオル。
【考案の詳細な説明】
【技術分野】
【０００１】  本考案は、バスタオルの身体に当る中央部分を広くしたバスタオルに関するものである。
【背景技術】
【０００２】  従来、湯上りに身体を拭き終わった後のバスタオルは、バスタオルの中央部分だけに水気が多く付いていることがあり、バスタオルの端の部分はほとんど使われずに中央部分で身体を拭いていることが多かった。
【考案の開示】
【考案が解決しようとする課題】
【０００３】  バスタオルの中央部分で身体を拭いていることが多いため、バスタオルの端の部分はほとんど使われずに終わっていた、従って、身体に当るバスタオルの中央部分を広くすることで簡単に身体を拭き終わることが可能になり、前述の欠点を解決しようとするものである。
【課題を解決するための手段】
【０００４】  本考案は、広げた状態が楕円形をした吸水性の有る一枚布で、布の周りが解れない様に縫製したことにより、問題点を解決している。
【考案の効果】
【０００５】  上述の様に、本考案の身体を広く拭けるバスタオルは、広げた状態が楕円形である為、湯上りに身体を拭いた時、身体に大きく広がって密着する事で身体に付いていた水気を素早く拭き取る事が可能になることで、湯上りをゆったり楽しむことに役立つ。
【考案を実施するための最良の形態】
【０００６】  バスタオル本体の広げた状態が楕円形をした吸水性の有る一枚布で、布の周りが解れない様に縫製して有り、両端の楕円の狭い部分を手で握ってバスタオル本体を濡れた身体に当てればバスタオル本体の楕円の広い部分が濡れた身体を包み込む様に広がることで、素早く身体を拭くことが出来、短い時間で身体を乾かすことが可能になった。
【実施例】
【０００７】  以下、添付図面に従って一実施例を説明する。バスタオル本体１の広げた状態が楕円形になる様に裁断をした吸水性の有る一枚布で、布の周りが解れない様に縫製２してあり、両端の楕円の狭い部分３を手で握ってバスタオル本体１を濡れた身体に当てればバスタオル本体１の楕円の広い部分４で濡れた身体を素早く拭く事が出来、短い時間で身体を乾かすことが可能になった。
【図面の簡単な説明】
【０００８】
【図１】本考案の身体を広く拭けるバスタオルの実施例を上から見た図である。
【符号の説明】
【０００９】１  バスタオル本体
２  布の周りが解れない様に縫製
３  楕円の狭い部分
４  楕円の広い部分
【図１】
0003118129.tif 000003
(57)【要約】      （修正有）【課題】縫い針の穴が極めて小さいため、針に糸を通す作業が難しいという不都合を解消する事。【解決手段】縫い針の穴の部分の一方に糸導入口１を設ける事により、この課題を解決する。【選択図】図１
0003118122.tif 000002
【実用新案登録請求の範囲】
【請求項１】
針の穴の部分に斜めに開けた糸導入口を設けた縫い針。
【考案の詳細な説明】
【技術分野】
【０００１】本考案は糸導入口を設けた縫い針
【背景技術】
【０００２】従来の縫い針は針の穴に糸の端を通していた。（図２）。
【考案の開示】
【考案が解決しようとする課題】
【０００３】しかし、針の穴が小さく、糸を通しにくかった。
【課題を解決するための手段】
【０００４】そこで針の穴の横に斜めに切り込みを入れて糸が針穴に横から入る縫い針を考案した（図１）。
【考案の効果】
【０００５】よって針の穴に糸の端を入れるのではなく糸の途中から容易に針穴に糸を装着する事ができる。また切り込みを斜めに入れる事により縫っている途中に布の繊維が穴に入る事がなく、また糸が針穴から外れる事がないのである。
（考案を実施するための最良の形熊）【０００６】本考案に係る縫い針は図１に示すように、縫い糸が入る糸導入口１を備えている。この糸導入口は斜めにする事が肝要でその径は縫い糸３が通ればよい。
【図面の簡単な説明】
【０００７】
【図１】本考案に係る糸導入口を設けた縫い針である。
【図２】従来の縫い針である。
【符号の説明】
【０００８】１  糸導入口
２  縫い針本体
３  縫い糸
【図１】
0003118122.tif 000003
【図２】
0003118122.tif 000004
(57)【要約】      （修正有）【課題】  ネイルアートにおいて爪に図柄を描く際に、同じ図柄を容易に描けるようにする。【解決手段】  爪用の印判Ｘとして想定される爪の表面に沿う凹状の曲面に形成され、所定の図柄が刻印された印面１２を有する。このように爪の曲面にほぼ沿った曲面を有する印面１２を有し、この印面１２に図柄が刻印されているので、この印面１２に塗料等をつけて爪に押印することで、爪上に同じ図柄を容易に描くことができる。【選択図】  図１
0003118247.tif 000002
【実用新案登録請求の範囲】
【請求項１】
想定される爪の表面に沿う凹状の曲面に形成され、所定の図柄が刻印された印面を有する爪用印判。
【請求項２】
前記曲面は、前記想定される爪の表面の曲率よりもやや大きな曲率を有する請求項１に記載の爪用印判。
【請求項３】
後端面に前記図柄が表記された請求項１又は２に記載の爪用印判。
【考案の詳細な説明】
【技術分野】
【０００１】
本考案は、爪上に装飾的な図柄を描くための印判に関する。
【背景技術】
【０００２】
近年、ネイルアートといわれる爪の装飾が広く行われるようになっている。ネイルアートにおいて爪に図柄を描く場合は、まず、爪をやすりで整えた後にベースコートと下地となるカラーポリッシュを塗り、その上にアクリル絵の具などで図柄を描いて、トップコートを塗って仕上げる。
【考案の開示】
【考案が解決しようとする課題】
【０００３】
ところで、上記の手順において図柄を描く際には下書き無しに直接図柄を描いていく。このために作業に熟練を要するとともに時間がかかり、また、同じ図柄を作成することが困難であった。
考案は、このような問題に鑑みて、ネイルアートにおいて爪に図柄を描く際に、同じ図柄を容易に描けるようにすることを課題とする。
【課題を解決するための手段】
【０００４】
上記課題を解決するために、本考案は次のような構成を有する。
請求項１に記載の考案は、想定される爪の表面に沿う凹状の曲面に形成され、所定の図柄が刻印された印面を有する爪用印判である。ここで想定される爪とは、本爪用印判が適用されることが想定される爪であり、日本人の平均的な女性の特定の指の短い爪や、特定の人の特定の指の伸ばした爪などが例示できる。
請求項２に記載の考案は、前記爪用印判において、前記曲面は、前記想定される爪の表面の曲率よりもやや大きな曲率を有するものである。
請求項３に記載の考案は、前記爪用印判において、後端面に前記図柄が表記されたものである。
【考案の効果】
【０００５】
請求項１に記載の考案は、爪の曲面にほぼ沿った曲面を有する印面を有し、この印面に図柄が刻印されているので、この印面に塗料等をつけて爪に押印することで、爪上に同じ図柄を容易に描くことができる。
請求項２に記載の考案は、印面の曲率が爪の曲率よりもやや大きく形成されることにより、印面が爪に接触できない状態をなくし、印面を爪上で端部から順次接触させるように回すことで適切に爪に印影を残すことができる。
請求項３に記載の考案は、印判の後端面に図柄が表記されているので、誤った図柄を爪に押印してしまう可能性を減らすことができる。
【考案を実施するための最良の形態】
【０００６】
以下、本考案の実施形態について、図を参照しながら説明する。
図１に本実施形態に係る爪用印判Ｘの斜視図を示す。爪用印判Ｘは断面長方形状の棒体からなる本体部１１の一端に形成される印面１２が凹部となるように曲面により形成されており、この印面１２に図柄が刻印されている。この凹部１２は、ここでは、平均的な日本人の女性の中指の伸ばしていない爪の曲面にほぼ一致させているが、やや曲率はこの想定される爪の曲率よりも大きく形成している。図２に印面１２の正面図を示す。また、本体部１１の印面が形成されていない端面である後端面１３側には、図示しない前記図柄が描かれている。なお、本体部１１の材質は、種々のものが採用でき、木、合成樹脂、象牙、金属等を用いることができる。また、ここでは、印面に直接図柄を刻印しているが、薄いゴム板により図柄を刻印し、これを曲面を形成した印面に貼りつけるようにすることもできる。
【０００７】
次に、以上のような構成を有する爪用印判Ｘの使用方法について説明する。なお、すでに、爪はやすりがかけられ、ベースコートとカラーポリッシュが塗られているものとする。使用者は、図３に示すような曲面を形成する印面１２にインクをつけることができるように形成されたカマボコ状の硬質のスポンジ２０により形成されるインク台Ｙを用いる。インク台Ｙには、アクリル製の塗料がしみこませてあり、また、使用に際しては溶剤を塗布し乾かないようにして使用する。使用者は、まず、このインク台Ｙに爪用印判Ｘの印面１２を印面１２すべてがインクに触れるように回しながら押し当ててインクを印面１２につける。次に、図４に示すように爪Cの上に爪用印判Ｘの印面１２を押し当てて押印する。この際、印面１２の曲率はやや大きく形成されているので、爪Cの端部から順次接触させるように印面１２を回しながら爪Cに押し付けていくことでインクがついた図柄部分が爪Cに接触し、図５に示すように爪C上に図柄を表したインクが残る。この図柄をそのまま爪Cの装飾とする場合は、乾燥させた後に、トップコートを塗り作業を終了する。この図柄を基に色をつける場合は、図柄の表す線を基準に適宜アクリル塗料を塗っていき、色が塗り終わり乾燥した後にトップコートを塗り作業を終了する。
このように本実施形態に係る爪用印判Ｘは、爪の上に安定して同じ図柄を効率よく描くことができ、また、熟練を要しない。さらに、印判として形成するので、筆で描くのが困難な細かな図柄などでも簡易かつ短時間で描くことができる。
【０００８】
なお、ここでは中指用の印判を示したが、他の指の爪に図柄を描く場合は、親指、人差し指、薬指、小指用の印判をそれぞれ用意すれば足り、また、爪の一部に図柄を描くことを想定するならば、小さめの面積の印面に曲率を親指の曲率よりもやや大きく形成することで一つの印判によりすべての指に対応させるようにすることもできる。
また、ここでは断面形状を長方形状としているが、断面形状は図６（ａ）（ｂ）（ｃ）に示すように丸、楕円、扇型など種々の形状のものを採用することができる。
さらに、ここでは実際の爪に使用する例を示したが付け爪に使用してもよいことはいうまでもない。
【図面の簡単な説明】
【０００９】
【図１】実施形態に係る爪用印判を示す斜視図である。
【図２】実施形態に係る爪用印判の印面の正面図である。
【図３】実施形態に係る爪用印判用のインク台を示す斜視図である。
【図４】実施形態に係る爪用印判の使用状態を示す斜視図である。
【図５】爪用印判を使用した爪を表す正面図である。
【図６】(ａ)（ｂ）（ｃ）爪用印判の断面形状の変形例を示す図である。
【符号の説明】
【００１０】
Ｘ  爪用印判
Ｙ  インク台
１１  本体
１２  印面
１３  後端面
【図１】
0003118247.tif 000003
【図２】
0003118247.tif 000004
【図３】
0003118247.tif 000005
【図４】
0003118247.tif 000006
【図５】
0003118247.tif 000007
【図６】
0003118247.tif 000008